(57)【要約】【課題】低消費電力で装置間の時刻を同期できること。【解決手段】ハブ１２０とノード１１０は、データ送受信用の第１の近距離無線Ｗ１と、第１の近距離無線Ｗ１とは異なる通信方式で、時刻同期の同期信号ＳＤ送受信用の第２の近距離無線Ｗ２と、を有する。ハブ１２０は、同期信号ＳＤを送信する際、自装置内の標準時間を第２の近距離無線Ｗ２が用いる時刻の情報に変換して第２の近距離無線Ｗ２によりノード１１０に送信する。ノード１１０は、受信した同期信号ＳＤを自装置内の基準時間の時刻の情報に逆変換して、自装置の標準時間を補正する。ノード１１０は、ハブ１２０に対するデータ送信時には、標準時間から得た時刻を第１の近距離無線Ｗ１が用いる時刻の情報に変換した時刻に基づいてデータ送信する。【選択図】図３
2015133596.tif 000002
【特許請求の範囲】
【請求項１】
第１の無線通信装置と第２の無線通信装置の時刻を同期させる時刻同期方法において、
前記第１の無線通信装置と前記第２の無線通信装置は、
データ送受信用の第１の通信方式と、前記第１の通信方式とは異なる通信方式で、時刻同期の同期信号送受信用の第２の通信方式と、を有し、
前記第１の無線通信装置は、
前記同期信号を送信する際、自装置内の基準時間を前記第２の通信方式が用いる時刻の情報に変換して前記第２の通信方式により前記第２の無線通信装置に送信し、
前記第２の無線通信装置は、
受信した前記同期信号を自装置内の基準時間の時刻の情報に逆変換して、自装置の基準時間を補正し、
前記第１の無線通信装置に対するデータ送信時には、前記基準時間から得た時刻を前記第１の通信方式が用いる時刻の情報に変換した時刻に基づいてデータ送信する、
ことを特徴とする時刻同期方法。
【請求項２】
前記第２の通信方式は、前記第２の無線通信装置による前記同期信号の受信時に電力を消費しないＮＦＣ（Ｎｅａｒ  Ｆｉｅｌｄ  Ｃｏｍｍｕｎｉｃａｔｉｏｎ）の通信方式であることを特徴とする請求項１に記載の時刻同期方法。
【請求項３】
前記第１の無線通信装置は、定期的に前記同期信号を前記第２の通信方式を介して前記第２の無線通信装置に送信することを特徴とする請求項１または２に記載の時刻同期方法。
【請求項４】
前記第１の無線通信装置は、前記第２の通信方式により送信する前記同期信号に含まれる時刻の情報として、データ送信に用いるカウンタ値と、前記基準時間に対する前記カウンタ値のオフセットと、データ送信時の送信タイミングと、
を含むことを特徴とする請求項１〜３のいずれか一つに記載の時刻同期方法。
【請求項５】
前記第２の無線通信装置は、前記第２の通信方式を介して受信した前記同期信号に含まれるカウンタ値と、前記基準時間に対する前記カウンタ値のオフセットと、データ送信時の送信タイミングとに基づき、
受信した前記同期信号のデータ先頭の受信時刻と、自装置内の基準時間とのズレ時間を算出し、前記ズレ時間に基づいて前記基準時間を補正する、
ことを特徴とする請求項１〜４のいずれか一つに記載の時刻同期方法。
【請求項６】
前記第２の無線通信装置は、前記第１の通信方式により、前記第１の無線通信装置に対してデータを送信する際には、前記第１の通信方式で通信可能な時刻に基づき、前記データを送信予約することを特徴とする請求項１〜５のいずれか一つに記載の時刻同期方法。
【請求項７】
他の無線通信装置の時刻に時刻同期させる無線通信装置において、
前記他の無線通信装置との間の通信を行う、データ送受信用の第１の通信方式の第１の通信制御部と、前記第１の通信方式とは異なる通信方式で、時刻同期の同期信号送受信用の第２の通信方式の第２の通信制御部と、
前記他の無線通信装置によって前記他の無線通信装置内の基準時間を前記第２の通信方式が用いる時刻の情報に変換し、前記第２の通信方式により送信された前記同期信号の受信に基づき、前記同期信号を自装置内の基準時間の時刻の情報に逆変換して、自装置の基準時間を補正する時間管理部を有し、
前記第１の通信制御部は、前記他の無線通信装置に対するデータ送信時に、前記基準時間から得た時刻を前記第１の通信方式が用いる時刻の情報に変換した時刻に基づいてデータ送信する、
ことを特徴とする無線通信装置。
【請求項８】
第１の無線通信装置と第２の無線通信装置の時刻を同期させる無線通信システムにおいて、
前記第１の無線通信装置と前記第２の無線通信装置は、
データ送受信用の第１の通信方式の通信制御部と、前記第１の通信方式とは異なる通信方式で、時刻同期の同期信号送受信用の第２の通信方式の通信制御部と、を有し、
前記第１の無線通信装置は、
前記同期信号を送信する際、自装置内の基準時間を前記第２の通信方式が用いる時刻の情報に変換する時間管理部を有し、
前記第２の通信方式の通信制御部により、前記時間管理部が変換した時刻の情報を前記第２の通信方式により前記第２の無線通信装置に送信し、
前記第２の無線通信装置は、
前記第２の通信方式の通信制御部が受信した前記同期信号を自装置内の基準時間の時刻の情報に逆変換して、自装置の基準時間を補正する時間管理部を有し、
前記第１の無線通信装置に対するデータ送信時には、前記第１の通信方式の通信制御部により、前記基準時間から得た時刻を前記第１の通信方式が用いる時刻の情報に変換した時刻に基づいてデータ送信する、
ことを特徴とする無線通信システム。
【請求項９】
前記第２の無線通信装置は、複数設けられ、
前記第１の無線通信装置は、複数の前記第２の無線通信装置に対して前記同期信号を送信するとともに、前記第２の無線通信装置が送信するデータを集約する、
ことを特徴とする請求項８に記載の無線通信システム。
【発明の詳細な説明】
【技術分野】
【０００１】
本発明は、装置間の時刻を同期させる時刻同期方法、無線通信装置および無線通信システムに関する。
【背景技術】
【０００２】
近距離無線通信は、ＩＥＥＥ８０２．１５．１、８０２．１５．４、８０２．１５．６などに規格化されて利用されている。例えば、近距離無線により、ハブ（Ｈｕｂ）を中心として、ハブと周囲の複数のノード（Ｎｏｄｅ）とが相互にデータを送受するネットワーク構成例がある。
【０００３】
複数のノードが送信する情報をハブが収集し、ハブがデータの変化等をログとして保存する場合、ハブおよび複数のノードは、互いの時刻が同期した状態を維持する必要がある。例えば、ノードは、ハブとの送受信タイミングを厳密に守るため、ハブが管理する時刻と精度よく時刻同期している必要がある。
【０００４】
ノードは、搭載するローカルなクロックの精度が低く、ハブおよび他のノードに対し、時刻は徐々にずれていく。このため、ノードは、ハブが送信する同期信号を定期的に受信することで時刻補正を行い、ハブとの時刻を同期させている。
【０００５】
例えば、近距離無線通信を行う通信装置が、外部から高精度の時刻情報を受信し、時刻に対応した時刻パルスの出力タイミングと、他の通信装置との時刻同期タイミングとの時間差により、時刻補正情報を算出し、他の通信装置に送信する技術がある（例えば、下記特許文献１参照。）。他の通信装置は、時刻補正情報により、時刻を補正する。
【０００６】
また、近距離無線通信を含み通信を行う携帯電話の受信局がスリープモード中に低精度の発信器によりタイムベースを維持する構成の場合に、タイムベースを正確に再調整する技術がある（例えば、下記特許文献２参照。）。受信局内のあるタイムベースユニットのキャリブレーションを行ってシステムコントローラが他のタイムベースのオフセットを得て、他のタイムベースユニットとの同期を取る。
【０００７】
また、携帯電話無線部とＷＬＡＮ無線部を有して通信可能な移動体通信端末について、複数の通信部が基地局からのウェイクアップ信号を受けた場合の起動タイミングのズレによる消費電力の増大を防ぐ技術がある（例えば、下記特許文献３参照。）。携帯電話無線部がウェイクアップ信号を受信する周期に同期してＷＬＡＮ無線部がアクセスポイント検索信号を発信するようにしている。
【０００８】
また、無線ＬＡＮのアクセスポイントと端末からなるシステムについて、端末の待ち受けの消費電力を低減する技術がある（例えば、下記特許文献４参照。）。アクセスポイントがビーコンと別のタイミングでウェイクアップ信号を送受信し、端末は、待ち受け中にウェイクアップ信号を受信したときのみ無線ＬＡＮ回路へ給電する。
【先行技術文献】
【特許文献】
【０００９】
【特許文献１】特開２００５−１８９１８５号公報
【特許文献２】特表２００７−５２５８８０号公報
【特許文献３】特開２００７−８２０５７号公報
【特許文献４】特開２０１１−４９７２１号公報
【発明の概要】
【発明が解決しようとする課題】
【００１０】
従来技術では、双方の装置（例えば、上記ハブとノード間）の時刻を同期させるために定期的に同期メッセージを受信して、時刻補正を行う必要がある。そのため、時刻補正する度に、同期信号の待ち受けおよび同期信号の受信のために電力消費するという問題がある。例えば、ノードが電池駆動される場合には、電池消費が増大し、動作持続時間が短くなってしまう。
【００１１】
一つの側面では、本発明は、低消費電力で装置間の時刻を同期できることを目的とする。
【課題を解決するための手段】
【００１２】
一つの案では、時刻同期方法は、第１の無線通信装置と第２の無線通信装置の時刻を同期させる時刻同期方法において、前記第１の無線通信装置と前記第２の無線通信装置は、データ送受信用の第１の通信方式と、前記第１の通信方式とは異なる通信方式で、時刻同期の同期信号送受信用の第２の通信方式と、を有し、前記第１の無線通信装置は、前記同期信号を送信する際、自装置内の基準時間を前記第２の通信方式が用いる時刻の情報に変換して前記第２の通信方式により前記第２の無線通信装置に送信し、前記第２の無線通信装置は、受信した前記同期信号を自装置内の基準時間の時刻の情報に逆変換して、自装置の基準時間を補正し、前記第１の無線通信装置に対するデータ送信時には、前記基準時間から得た時刻を前記第１の通信方式が用いる時刻の情報に変換した時刻に基づいてデータ送信する。
【発明の効果】
【００１３】
一つの実施の形態によれば、低消費電力で装置間の時刻を同期できる。
【図面の簡単な説明】
【００１４】
【図１】図１は、実施の形態にかかる無線通信装置を含むネットワーク構成例を示す図である。
【図２】図２は、実施の形態にかかるハブとノード間の無線通信の構成例を示す図である。
【図３】図３は、実施の形態にかかる時刻同期および検出値の送信動作の概要を示すシーケンス図である。
【図４】図４は、実施の形態にかかるハブの機能的構成例を示す図である。
【図５】図５は、実施の形態にかかるノードの機能的構成例を示す図である。
【図６】図６は、実施の形態にかかる時刻同期の処理内容を示すシーケンス図である。
【図７】図７は、実施の形態にかかる時刻同期後のデータ送信処理を示すシーケンス図である。
【図８】図８は、ハブおよびノードが管理する無線制御管理情報を示す図表である。
【図９】図９は、実施の形態にかかるハブおよびノードの無線制御管理情報を示す図表である。
【図１０】図１０は、ハブとノード間で送受信されるデータフォーマットの例を示す図である。
【図１１】図１１は、ハブによる同期信号の送信処理を示すシーケンス図である。
【図１２】図１２は、ノードによる同期信号受信時の時刻同期処理を示すシーケンス図である。
【図１３】図１３は、実施の形態にかかる時刻同期処理を示すタイムチャートである。
【図１４】図１４は、実施の形態にかかるノードからハブに対するデータ送信動作の例を示す図である。
【図１５】図１５は、実施例によるノードの低消費電力化を示す図表である。
【発明を実施するための形態】
【００１５】
（実施の形態）
（無線通信装置を含むネットワーク構成例）
以下に添付図面を参照して、開示技術の好適な実施の形態を詳細に説明する。図１は、実施の形態にかかる無線通信装置を含むネットワーク構成例を示す図である。
【００１６】
図１に示すネットワーク１００は、センサネットワークの適用例である。入院患者等の人体１０１の各部には、それぞれ検出用のセンサを有するノード（第２の無線通信装置）１１０を配置する。また、各ノード１１０の検出値は、例えば、人体の中心に位置するコーディネータ（ハブ、第１の無線通信装置）１２０に送信され、ハブ１２０は、各ノード１１０の検出値（体温や血圧等）を収集する。ハブ１２０により収集された検出値は、例えばスマートフォンなどのデータ送信装置１３０から通信網１４０を介して担当医師や救急車、カルテ管理等の端末装置１５０にデータ送信され、入院患者の容体（状態）を監視することができる。
【００１７】
上記のうち、少なくともノード１１０（人体装着等の場合にはハブ１２０についても）は、小型化等のために電池駆動される。ノード１１０は、定期的（例えば２時間毎）に体温等の検出値をハブ１２０に送信するが、送信後は、次の送信時まで消費電力を抑えるためにスリープ状態に移行する。
【００１８】
（ハブとノード間の無線通信の構成例）
図２は、実施の形態にかかるハブとノード間の無線通信の構成例を示す図である。各ノード１１０は、第１の近距離無線Ｗ１（例えば、ＩＥＥＥ８０２．１５．６に規定される人体通信網（ＢＡＮ：Ｂｏｄｙ  Ａｒｅａ  Ｎｅｔｗｏｒｋ））を介してハブ１２０に検出値を送信する。また、ハブ１２０からノード１１０に対して各種要求等を送信することもできる。第１の近距離無線Ｗ１は、ノード１１０のバッテリを動作電源として用いる。
【００１９】
また、各ノード１１０と、ハブ１２０との間は、第１の近距離無線Ｗ１と通信プロトコル（プロトコル）が異なる第２の近距離無線Ｗ２（例えば、ＩＥＥＥ８０２．１５．１に規定されるＲＦＩＤ等のＮＦＣ：Ｎｅａｒ  Ｆｉｅｌｄ  Ｃｏｍｍｕｎｉｃａｔｉｏｎ）により、時刻同期用のデータを相互に送受信する。第２の近距離無線Ｗ２として、第１の近距離無線Ｗ１に比して低レート伝送を行い、消費電力を削減できる通信方式を用いる。さらには、第２の近距離無線Ｗ２（ＮＦＣ）として、ノード１１０が、ノード１１０に近接して設けられるハブ１２０側からの電磁誘導作用により動作電源を得るＲＦＩＤ等の構造のものを用いれば、ノード１１０の電池を消費せずに受信電力をほぼなくすことができる（受信待機電力を除く）。
【００２０】
ノード１１０は、検出用のセンサ１１１と、プロセッサ（ＭＰＵ）１１２とを含む。ＭＰＵ１１２は、第１の近距離無線Ｗ１用の通信制御部１１２ａ、および第２の近距離無線Ｗ２用の通信制御部１１２ｂの機能を含む。
【００２１】
ハブ１２０のハードウェアは、図２に示したように、第１の近距離無線Ｗ１用の通信制御部１２２ａ、および第２の近距離無線Ｗ２用の通信制御部１２２ｂの機能を含むＭＰＵ１２２を含む。また、不図示であるが、ＲＯＭ、ＲＡＭ等のメモリ等を含む。ＭＰＵ１２２は、ＲＯＭ等に格納されたプログラムを実行し、ＲＡＭ等をデータ格納用に用いることにより、通信制御部１２２ａ、１２２ｂの通信、および後述する時刻同期のための処理を行う。
【００２２】
ノード１１０のハードウェアは、図２に示した第１の近距離無線Ｗ１用の通信制御部１１２ａ、および第２の近距離無線Ｗ２用の通信制御部１１２ｂの機能を含むＭＰＵ１１２と、不図示のＲＯＭ、ＲＡＭ等のメモリ等を含む。ＭＰＵ１１２は、ＲＯＭ等に格納されたプログラムを実行し、ＲＡＭ等をデータ格納用に用いることにより、通信制御部１１２ａ、１１２ｂの通信、および後述する時刻同期のための処理を行う。
【００２３】
（時刻同期および検出値の送信動作の概要）
図３は、実施の形態にかかる時刻同期および検出値の送信動作の概要を示すシーケンス図である。ハブ１２０とノード１１０は、それぞれデータ（検出値）の通信用に第１の近距離無線Ｗ１を用いる。また、第１の近距離無線Ｗ１より低消費および低レートの第２の近距離無線Ｗ２を時刻の同期信号を送受信するために用意する。
【００２４】
ハブ１２０は、所定タイミング毎に時刻（同期の基準となる装置時間）を取得し（ステップＳ３０１）、時刻の取得毎に第２の近距離無線Ｗ２を介して同期信号ＳＤをノード１１０に送信する（ステップＳ３０２）。ノード１１０は、第２の近距離無線Ｗ２により同期信号ＳＤを受信すると、この同期信号ＳＤに基づき、第２の近距離無線Ｗ２の時刻と、第１の近距離無線Ｗ１の時刻とを同期させる時刻同期の処理を行う（ステップＳ３０３）。ハブ１２０は、所定タイミング毎に上記ステップＳ３０１〜ステップＳ３０３の処理を繰り返し、ノード１１０は、同期信号ＳＤの受信毎にノード１１０内での時刻同期の処理を行う。
【００２５】
これにより、ノード１１０は、常に第１の近距離無線Ｗ１の送受信時（検出値の送信時等）に用いる時刻をハブ１２０および他のノード１１０と時刻同期することができる。この時刻同期された状態で、ノード１１０は、所定タイミングで検出値をハブ１２０に送信する際に、正確な時刻を取得でき（ステップＳ３０４）、データ（検出値ＳＳ）を第１の近距離無線Ｗ１を介してハブ１２０に送信することができる（ステップＳ３０５）。また、ハブ１２０についても、所定タイミングでデータをノード１１０に送信する際に、自装置から取得した時刻は（ステップＳ３０６）、ノード１１０と時刻同期されたものとなる。ハブ１２０は、データを第１の近距離無線Ｗ１を介してノード１１０に送信する（ステップＳ３０７）。ノード１１０がハブ１２０から受信したデータは、ノード１１０と時刻同期された正確な時刻を有して送信されたものとなる。
【００２６】
ハブ１２０は、各ノード１１０から受信したデータ（検出値）を集計等する。この際、各ノード１１０から送信されるデータ（検出値ＳＳ）の送信時刻（検出値の検出時刻に相当）が正確であるため、受信したデータの送信時刻をそのまま検出値ＳＳの検出時刻として用いることができ、時刻補正等の処理を不要としてデータ送信装置１３０に送信することができる。
【００２７】
このように、実施の形態では、従来から定期的に送信していた時刻同期用の同期信号を自ノード１１０のバッテリを消費する第１の近距離無線Ｗ１を用いずに、自ノード１１０のバッテリを消費しない第２の近距離無線Ｗ２を用いて送信する。これにより、各ノード１１０が時刻同期のために、ハブ１２０とやり取りする同期信号の送受にかかる電源消費を抑えることができ、ノード１１０の低消費電力化を図ることができる。
【００２８】
ところで、データ通信用の第１の近距離無線Ｗ１と、時刻同期用の第２の近距離無線Ｗ２はそれぞれ異なる通信プロトコルである。このため、第２の近距離無線Ｗ２を用いて送信した同期信号ＳＤが示す時刻の情報（装置時間）は、そのままではデータ通信用の第１の近距離無線Ｗ１の時刻情報として扱うことができない。このため、実施の形態では、一つの同期信号ＳＤで第２の近距離無線Ｗ２および第１の近距離無線Ｗ１それぞれのプロトコルの時刻情報を同期させる時刻変換／逆変換の処理を行い、装置間の時刻を同期させる。これにより、異なる通信方式がそれぞれ用いる時刻を相互に同期させることができる。
【００２９】
（ハブの機能的構成例）
図４は、実施の形態にかかるハブの機能的構成例を示す図である。ハブ１２０は、時間管理部４０１と、時刻同期管理部４０２と、第１の近距離無線Ｗ１用の通信制御部１２２ａと、第２の近距離無線Ｗ２用の通信制御部１２２ｂと、を含む。
【００３０】
時間管理部４０１は、自デバイス（ハブ１２０）の装置時間（時刻同期の基準時間）の管理を行う。また、装置時間と自デバイス（ハブ１２０）が有する通信制御部１２２ａ，１２２ｂの時間の連携を行う。ハブ１２０の装置時間は、装置内発信器または外部信号に基づいて標準時（例えば日本標準時：ＪＳＴ）に正確に時刻同期されている。この時間管理部４０１は、装置時間を第２の近距離無線Ｗ２を用いて送信する同期信号ＳＤ用の時刻と、第１の近距離無線Ｗ１を用いるデータ（検出値ＳＳ）送受信用の時刻と、にそれぞれ変換する。
【００３１】
これら第１の近距離無線Ｗ１と第２の近距離無線Ｗ２は通信方式が異なるため、データの時刻の表し方が異なる。このため、装置内の装置時間をこれら第１の近距離無線Ｗ１、あるいは第２の近距離無線Ｗ２に変換（および逆変換）する必要がある。詳細は後述するが（図８等参照）、時刻を表す種別（単位）や単位量（例えばフォーマット）が異なり、装置時間を第１の近距離無線Ｗ１あるいは第２の近距離無線Ｗ２の時刻に変換／第２の近距離無線Ｗ２あるいは第１の近距離無線Ｗ１の時刻を装置時間に逆変換する必要がある。
【００３２】
時刻同期管理部４０２は、同期信号ＳＤの送信タイミングを管理し、定期的に同期信号ＳＤの送信要求を第２の近距離無線Ｗ２用の通信制御部１２２ｂに出力する。
【００３３】
（ノードの機能的構成例）
図５は、実施の形態にかかるノードの機能的構成例を示す図である。ノード１１０は、時間管理部５０１と、時刻同期管理部５０２と、第１の近距離無線Ｗ１用の通信制御部１１２ａと、第２の近距離無線Ｗ２用の通信制御部１１２ｂと、を含む。
【００３４】
通信制御部１１２ｂは、ハブ１２０から同期信号ＳＤを受信すると、同期信号ＳＤの受信時刻から送信時刻との時刻差分（ズレ）Δｔを算出し、時間管理部５０１に装置時間の補正を指示する。受信時刻はノード１１０内の装置時間から得る。
【００３５】
時間管理部５０１は、自デバイス（ノード１１０）の装置時間（基準時間）の管理を行う。また、装置時間と自デバイス（ノード１１０）が有する通信制御部１１２ａ，１１２ｂの時間の連携を行う。時間管理部５０１は、同期ズレと時刻差分Δの通知を受けると、装置時間を補正する。例えば、装置時間＝ノード１１０の現在時刻＋Δｔの算出により補正する。
【００３６】
時刻同期管理部５０２は、第２の近距離無線Ｗ２用の通信制御部１１２ｂから同期ズレの通知を受けると、時間管理部５０１に装置時間の補正を指示する。
【００３７】
以上により、ノード１１０は、異なる通信プロトコルであっても共通の時刻同期が行えるようになる。この後、ノード１１０は、第１の近距離無線Ｗ１（通信制御部１１２ａ）を用いてデータ通信（検出値ＳＳ）をハブ１２０に送信するとき、時間管理部５０１からデータ（検出値ＳＳ）送信時の時刻を取得し、取得した時刻を用いてデータ（検出値ＳＳ）の送信を行う。
【００３８】
（時刻同期の処理内容）
図６は、実施の形態にかかる時刻同期の処理内容を示すシーケンス図である。上記図４、図５に示したハブ１２０とノード１１０間の時刻同期にかかる処理を説明する。
【００３９】
はじめに、ハブ１２０の時刻同期管理部４０２は、時刻の同期処理開始の処理を行う（ステップＳ６０１）。これにより、時刻同期管理部４０２は、定期的に所定のタイミングで同期信号ＳＤの送信要求を第２の近距離無線Ｗ２用の通信制御部１２２ｂに出力する（ステップＳ６０２）。
【００４０】
次に、第２の近距離無線Ｗ２用の通信制御部１２２ｂは、時間管理部４０１から装置時間の取得を要求する（ステップＳ６０３）。時間管理部４０１は、装置時間を第２の近距離無線Ｗ２の時刻に変換し（ステップＳ６０４）、第２の近距離無線Ｗ２の時刻を通信制御部１２２ｂに通知する（ステップＳ６０５）。
【００４１】
この後、ハブ１２０の通信制御部１２２ａは、同期信号ＳＤを第２の近距離無線Ｗ２によりノード１１０に送信する（ステップＳ６０６）。同期信号ＳＤは、第２の近距離無線Ｗ２における時刻情報αを含む。この時刻情報αは、ハブ１２０の第２の近距離無線Ｗ２用の通信制御部１２２ｂが同期信号ＳＤを送信した送信時間である。
【００４２】
ノード１１０は、第２の近距離無線Ｗ２によりハブ１２０から送信された同期信号ＳＤを第２の近距離無線Ｗ２用の通信制御部１１２ｂが受信する（ステップＳ６０７）。このときの受信時刻がβであったとする。そして、ノード１１０の第２の近距離無線Ｗ２用の通信制御部１１２ｂは、時刻ズレΔｔについて、Δｔ＝同期信号ＳＤの時刻情報α−受信時刻βにより算出し（ステップＳ６０８）、通信制御部１１２ｂは、時刻ズレΔｔを時間管理部５０１に通知する（ステップＳ６０９）。
【００４３】
この後、ノード１１０の時間管理部５０１は、通知された時刻ズレΔｔを装置時間に変換し（ステップＳ６１０）、同期ズレを第２の近距離無線Ｗ２の通信制御部１１２ｂに通知する（ステップＳ６１１）。通信制御部１１２ｂは、同期ズレの情報（Δｔ）を時刻同期管理部５０２に通知する（ステップＳ６１２）。時刻同期管理部５０２は同期ズレの情報（Δｔ）を時間管理部５０１に通知する（ステップＳ６１３）。時間管理部５０１は、同期ズレの情報（Δｔ）に基づき、装置時間を補正する（ステップＳ６１４）。例えば、装置時間＝現在時刻＋Δｔにより算出することで装置時間を補正する。
【００４４】
以上の処理により、ハブ１２０が定期的な同期信号ＳＤを送出する毎に、ノード１１０は、ハブ１２０の装置時間と時刻同期することができる。図６では、ハブ１２０が一つのノード１１０に対して時刻同期する例を説明したが、同様の処理により（例えば順番をもって）、複数のノード１１０に対して時刻同期することができる。
【００４５】
（時刻同期後のデータ送信処理）
図７は、実施の形態にかかる時刻同期後のデータ送信処理を示すシーケンス図である。図示の例では、ハブ１２０からノード１１０へのデータ送信時、およびノード１１０からハブ１２０へのデータ（検出値ＳＳ）送信時の状態を示している。図６に示した時刻同期後（厳密には、図６に示した次の時刻同期処理との間のタイミング）で、ハブ１２０またはノード１１０は、データを送信する。
【００４６】
ハブ１２０からノード１１０へのデータ（制御信号等）の送信について説明すると、第１の近距離無線Ｗ１用の通信制御部１２２ａは、データ送信を開始する場合（ステップＳ７０１）、まず、ハブ１２０の通信制御部１２２ａは、時間管理部４０１に対し装置時間を取得要求する（ステップＳ７０２）。時間管理部４０１は、装置時間を第１の近距離無線Ｗ１の時刻に変換し（ステップＳ７０３）、この第１の近距離無線Ｗ１の時刻を通信制御部１２２ａに通知する（ステップＳ７０４）。これにより、通信制御部１２２ａは、データ送信する際の時刻を第１の近距離無線Ｗ１の時刻としてノード１１０に送信する（ステップＳ７０５）。
【００４７】
ノード１１０からハブ１２０へのデータ（検出値ＳＳ等）の送信についても、ハブ１２０からノード１１０への送信時と同様である。第１の近距離無線Ｗ１用の通信制御部１１２ａは、検出値ＳＳ等のデータ送信を開始する場合（ステップＳ７１１）、まず、ノード１１０の通信制御部１１２ａは、時間管理部５０１に対し装置時間を取得要求する（ステップＳ７１２）。時間管理部５０１は、装置時間を第１の近距離無線Ｗ１の時刻に変換し（ステップＳ７１３）、この第１の近距離無線Ｗ１の時刻を通信制御部１１２ａに通知する（ステップＳ７１４）。これにより、通信制御部１１２ａは、検出値ＳＳ等をデータ送信する際の時刻を第１の近距離無線Ｗ１の時刻としてノード１１０に送信する（ステップＳ７１５）。
【００４８】
上記処理によれば、ハブ１２０は、同期処理開始のタイミング毎に装置時間を第２の近距離無線Ｗ２用の時刻を変換して同期信号ＳＤをノード１１０に送信し、ノード１１０は、同期信号ＳＤの受信毎に装置時間を補正する管理を行う。時刻同期後のデータ送信時には、第１の近距離無線Ｗ１は、装置時間をデータ送信時に第１の近距離無線Ｗ１の時刻に変換することで、受信側では、送信側に同期した時間を取得できる。
【００４９】
すなわち、図６に示した定期的な時刻同期により、ノード１１０の装置時間は、常時ハブ１２０の装置時間と時刻同期が取れている状態にできる。また、異なる通信方式がそれぞれ用いる時刻を相互に同期させることができる。このように、装置間の時刻同期が取れた状態において、図７に示すように、ノード１１０は検出値ＳＳ等の送信データを正確な送信時刻を有してハブ１２０に送信することができる。
【００５０】
上記のように、時刻同期後は、ノード１１０とハブ１２０との間では、相互に時刻同期した状態でデータ送信することができる。また、ハブ１２０は、複数のノード１１０との間で時刻同期させることができ、複数のノード１１０から送信された検出値ＳＳ等のデータについて、送信時刻を一定の精度で受信でき、ログ等の監視処理の時刻を高精度化することができる。
【００５１】
また、上記構成によればハブ１２０からノード１１０に対して送信する同期信号ＳＤは、低消費、および低レートである第２の近距離無線Ｗ２を使用して通知する。そして、ノード１１０側で装置時間の補正を行う。第２の近距離無線Ｗ２にＲＦＩＤ等のＮＦＣを用いれば、ハブ１２０とノード１１０間の時刻同期のための待機電力や同期信号受信のための電力を削減できるようになる。すなわち、時刻同期の通信のためのバッテリ消費を抑えることができ、ノード１１０のバッテリを長寿命化できるようになる。
【実施例】
【００５２】
（近距離無線にＢＡＮとＲＦＩＤを用いた具体例）
以下の実施例では、ハブ１２０とノード１１０とがデータ用と時刻同期用にそれぞれ異なるプロトコルの通信を行う場合の具体例について説明する。第１の近距離無線Ｗ１としてＩＥＥＥ８０２．１５．６に規定するＢＡＮを用い、第２の近距離無線Ｗ２としてＩＥＥＥ８０２．１５．１に規定するＲＦＩＤを用いる例を用いて説明する。
【００５３】
ハブ１２０およびノード１１０の時間管理部４０１，５０１は下記により時間を管理する。
１．装置時間は、μｓ単位でカウンタによりカウントアップする。
２．装置時間カウンタを有し、装置時間が一定値（最大値）を超えた場合にインクリメントされ、装置時間をクリアすることを繰り返す。
３．無線制御管理情報を有し、自装置がもつ無線制御の時間算出情報を保持する。
【００５４】
（装置の初期起動時の時間算出情報の登録）
初期起動時、ハブ１２０は装置時間のカウントアップを開始する。ハブ１２０およびノード１１０の無線制御は、起動時に時間算出情報を時間管理部４０１，５０１に登録する。
【００５５】
図８は、ハブおよびノードが管理する無線制御管理情報を示す図表である。第１の近距離無線Ｗ１（ＢＡＮ）側は、時間情報として、スーパーフレーム（Ｓｕｐｅｒｆｒａｍｅ）番号（カウンタ周期ｍｓｅｃ）と、スーパーフレームオフセット（Ｓｕｐｅｒｆｒａｍｅ  Ｏｆｆｓｅｔ、単位μｓｅｃ）と、スーパーフレーム長（Ｓｕｐｅｒｆｒａｍｅ  Ｌｅｎｇｔｈ、固定値ｍｓｅｃ）とを有する。第２の近距離無線Ｗ２（ＮＦＣ）側は、時間情報として、同期カウンタ（カウンタ周期ｓｅｃ）と、同期オフセット（単位μｓｅｃ）と、同期カウンタ長（固定値、ｓｅｃ）を有する。
【００５６】
図９は、実施の形態にかかるハブおよびノードの無線制御管理情報を示す図表である。装置時間は、μｓｅｃ単位でカウントアップする。第１の近距離無線Ｗ１（ＢＡＮ）のスーパーフレームは、所定のスーパーフレームオフセットと、スーパーフレーム長を有し、スーパーフレーム毎にスーパーフレーム番号がカウントされる。第２の近距離無線Ｗ２（ＮＦＣ）の同期カウンタは、所定の同期オフセットと、同期カウンタ長を有し、同期カウンタ毎にカウンタ数がカウントされる。
【００５７】
図８および図９に示すように、第１の近距離無線Ｗ１（ＢＡＮ）と、第２の近距離無線Ｗ２（ＮＦＣ）とでは、時間情報として扱う項目および単位時間が異なっている。
【００５８】
ハブ１２０の時間管理部４０１およびノード１１０の時間管理部５０１は、以下の手順で装置時間を第１の近距離無線Ｗ１（ＢＡＮ）、あるいは第２の近距離無線Ｗ２（ＮＦＣ）の無線制御用の時間情報に変換する。
【００５９】
第２の近距離無線Ｗ２（ＮＦＣ）は下記により装置時間を変換する。
・同期カウンタ＝（（装置時間カウンタ×装置時間最大値）＋装置時間）／同期カウンタ長
・同期オフセット＝同期カウンタ計算式の余り
・同期カウンタ長は、ハブ１２０が固定値として決定し、ノード１１０は同期信号ＳＤに含まれる同期カウンタ長にて認識する。
また、第１の近距離無線Ｗ１（ＢＡＮ）も上記同様の手順で装置時間を変換する。
【００６０】
図１０は、ハブとノード間で送受信されるデータフォーマットの例を示す図である。図１０の（ａ）に示すデータ１００１は、第１の近距離無線Ｗ１（ＢＡＮ）を介して送受信される。データ１００１は、先頭から順にプリアンブル（９０ｂｉｔ）、ＰＨＹヘッダ（３１ｂｉｔ）、ＭＡＣヘッダ（５６ｂｉｔ）、検出値ＳＳが格納されるデータ（５０ｂｙｔｅ）、ＦＣＳ（１６ｂｉｔ）と、を含む。
【００６１】
図１０の（ｂ）に示す同期信号（ＳＤ）１００２は、第２の近距離無線Ｗ２（ＮＦＣ）を介して送受信される。同期信号（ＳＤ）１００２は、先頭からプリアンブル（９０ｂｉｔ）、ＰＨＹヘッダ（３１ｂｉｔ）、ＭＡＣヘッダ（５６ｂｉｔ）、同期情報（３ｂｙｔｅ）、ＦＣＳ（１６ｂｉｔ）と、を含む。
【００６２】
（ハブとノードの時刻同期処理）
同期処理時、ハブ１２０は、同期情報ＳＤの送信処理を行い、ノード１１０はハブ１２０から受信した同期情報ＳＤを元に同期処理を行う。
【００６３】
（ハブ１２０の同期信号送信処理）
図１１は、ハブによる同期信号の送信処理を示すシーケンス図である。ハブ１２０は、下記手順で同期信号ＳＤを送信する。
【００６４】
１．時刻同期管理部４０２は、周期的（例えば６０ｓｅｃ毎）に同期タイミングを発生させ（ステップＳ１１０１）、定期的にＮＦＣの通信制御部１２２ｂに同期情報送信要求を行う（ステップＳ１１０２）。
２．ＮＦＣの通信制御部１２２ｂは、時間管理部４０１にＮＦＣ用の時刻情報の取得を要求する（ステップＳ１１０３）。
【００６５】
３．時間管理部４０１は、装置時間を無線制御管理情報で管理しているＮＦＣの時間情報を元に時刻情報に変換し（ステップＳ１１０４）、ＮＦＣの通信制御部１２２ｂに時刻情報を返答する（ステップＳ１１０５）。この際の時刻情報は、同期カウンタ（カウント数）と、同期オフセットと、を含む。
４．ＮＦＣの通信制御部１２２ｂは、取得した時刻情報に、実際の送信タイミングをプラスした同期信号ＳＤを送信データとして、送信の予約を行う（ステップＳ１１０６）。この同期信号ＳＤは、同期カウンタ長、同期カウンタと、同期オフセットに送信タイミングを加えたタイミング情報と、を含む。
５．ＮＦＣの通信制御部１２２ｂは、送信予約したタイミングで同期信号ＳＤをノード１１０に送信する（ステップＳ１１０７）。
【００６６】
（ノード１１０の同期処理）
図１２は、ノードによる同期信号受信時の時刻同期処理を示すシーケンス図である。ノード１１０は、下記手順で同期信号ＳＤに基づき時刻の同期処理を行う。
【００６７】
１．ノード１１０は、起動すると同期信号ＳＤの受信待ちで待機する（ステップＳ１２０１）。
２．ＮＦＣの通信制御部１１２ｂは、ハブ１２０から同期信号ＳＤを受信すると（ステップＳ１２０２）、時間管理部５０１からＮＦＣの時刻情報を取得し、時刻情報と受信信号からプリアンブル（図１０（ｂ）参照）の先頭の時間を算出する（ステップＳ１２０３）。
【００６８】
３．ＮＦＣの通信制御部１１２ｂは、無線管理情報に同期カウンタ長が未登録であるか否かを判断する（ステップＳ１２０４）。
４．同期カウンタ長が未登録の場合（ステップＳ１２０４：Ｙｅｓ）、装置（ノード１１０）の設置時等に相当し、時間管理部５０１に装置時間の初期化要求を行う（ステップＳ１２０５）。
５．時間管理部５０１は、装置時間の初期化要求時には、ＮＦＣの通信制御部１１２ｂから通知された同期信号ＳＤを初期値として、装置時間のカウントを開始し（ステップＳ１２０６）、以下の同期処理を行わずに終了する（ステップＳ１２０７）。
【００６９】
６．一方、無線管理情報に同期カウンタ長が登録されている場合（ステップＳ１２０４：Ｎｏ）、ＮＦＣの通信制御部１１２ｂは、時間管理部５０１に時刻情報の取得を要求する（ステップＳ１２０８）。そして、時刻情報（同期カウンタ、同期オフセット）を取得し（ステップＳ１２０９）、時刻のズレ（時刻情報と、算出したプリアンブルの先頭の時間との差）を算出し（ステップＳ１２１０）、時間管理部５０１に時刻逆変換を要求する（ステップＳ１２１１）。この時刻逆変換は、上述した時刻変換とは逆に、装置時間からＮＦＣの時刻を求める。
【００７０】
この時刻逆変換にあたり、ＮＦＣの通信制御部１１２ｂは、下記算出式によりプリアンブルの先頭の時間を算出する。
プリアンブル先頭時間［同期カウンタ／同期オフセット］＝現在時刻［同期カウンタ／同期オフセット］−同期信号データ長（プリアンブル含む）［ｂｉｔ］／通信Ｒａｔｅ［ｂｐｓ］
【００７１】
また、ＮＦＣの通信制御部１１２ｂは、下記により時刻ズレを算出する。
時刻ズレ［同期カウンタ／同期オフセット］＝受信した同期情報［同期カウンタ／同期オフセット］−プリアンブル先頭時間
【００７２】
７．時間管理部５０１は、ＮＦＣの通信制御部１１２ｂから通知された変換の種別（ＮＦＣ）、同期カウンタ長、ズレ時間により、絶対値の時間に変換し（ステップＳ１２１２）、ＮＦＣの通信制御部１１２ｂに時刻の逆変換情報（同期ズレ時間）を返答する（ステップＳ１２１３）。
【００７３】
時間管理部５０１は、下記により同期ズレ時間を算出する。
同期ズレ時間［μｓｅｃ］＝同期カウンタ×同期カウンタ長＋同期カウンタＯｆｆｓｅｔ
【００７４】
８．ＮＦＣの通信制御部１１２ｂは、時刻同期管理部５０２に同期ズレ（同期ズレ時間）の通知を行う（ステップＳ１２１４）。
９．時刻同期管理部５０２は、同期ズレの通知を受けると、時間管理部５０１に時刻補正（同期ズレ時間）通知を行う（ステップＳ１２１５）。
１０．時間管理部５０１は、時刻補正通知で渡された同期ズレ時間により、装置時間を補正する（ステップＳ１２１６）。装置時間＝現在時刻＋同期ズレ時間により算出する。
【００７５】
図１３は、実施の形態にかかる時刻同期処理を示すタイムチャートである。図１３に示す例では、ハブ１２０に対してノード１１０の時刻が（ズレ分）早い状態であるが、ノード１１０は、ハブ１２０から同期信号ＳＤを受信し、同期処理したタイミング（時期ｔ１）で装置時間をハブ１２０に同期させる。
【００７６】
したがって、これ以降のＢＡＮ（ＩＥＥＥ８０２．１５．６）によるデータ通信時（ｔ２，ｔ３，ｔ４，…）、ノード１１０は装置時間を図中斜線で示すようにズレ分だけ遅れさせ、ノード１１０の装置時間をハブ１２０の装置時間に同期させてデータ送受信できるようになる。すなわち、ノード１１０は、装置時間から得た時刻をＢＡＮの通信方式にしたがった時刻に変換した時刻に基づいてデータ送信することができる。
【００７７】
（ＢＡＮによる通信接続時以降の処理）
ノード１１０は、ＢＡＮ（ＩＥＥＥ８０２．１５．６）の規定にしたがい、コネクションを確立する。このとき、ＢＡＮの時刻情報を無線制御管理情報に登録する。この後、ハブ１２０は、上述したように（図１１参照）、定期的に同期信号ＳＤの送信処理を行う。
【００７８】
ノード１１０は、ハブ１２０へデータ（検出値ＳＳ）を送る場合のみＢＡＮ（ＩＥＥＥ８０２．１５．６）の無線デバイス（通信制御部１１２ａ）を起動させ、それ以外（ハブ１２０へデータを送らない場合）は、ＮＦＣの無線デバイス（通信制御部１１２ｂ）で同期信号の受信待ちを行う。
【００７９】
（ノードからハブへのデータの送信予約）
図１４は、実施の形態にかかるノードからハブに対するデータ送信動作の例を示す図である。ノード１１０がデータとして検出値ＳＳを送信予約してハブ１２０に送信する例を示してある。複数のうち一つのノード１１０からハブ１２０に送信する際、スーパーフレームの期間内でこの一つのノード１１０がデータ送信できる通信可能帯域（図中Ｔ０）がある。
【００８０】
この場合、ノード１１０がデータ（検出値ＳＳ）を送信開始すると（ステップＳ１４０１）、通信制御部１１２ａは直ちに送信するのではなく、装置時間から現在時刻を取得し（時期ｔ５、ステップＳ１４０２）、次のスーパーフレーム中で送信可能帯域Ｔ０の時期（ｔ６）までの時間（Ｔ１）を算出し、この時間Ｔ１経過時の時期ｔ６にデータ（検出値ＳＳ）を送信する（ステップＳ１４０３）。すなわち、ノード１１０が送信可能な時期にデータを送信予約する。通信制御部１１２ａは、ＢＡＮ（ＩＥＥＥ８０２．１５．６）のプロトコルにしたがい、ノード１１０はデータ（検出値ＳＳ）を送信可能な時期（時刻）ｔ６を算出できるようになっている。
【００８１】
（実施例によるノードの低消費電力化について）
図１５は、実施例によるノードの低消費電力化を示す図表である。実施例対比用の従来技術では、ノード１１０がデータを送信する際の送信電力、および時刻同期用の同期信号の受信電力、のそれぞれで所定の電力を消費する。
【００８２】
一方、実施例によれば、ノード１１０は、第１の近距離無線Ｗ１（ＩＥＥＥ８０２．１５．６、ＢＡＮ）を介してデータ（検出値ＳＳ）を送信する際に所定の送信電力を消費する。しかし、時刻同期用の同期信号ＳＤは、第２の近距離無線Ｗ２（ＩＥＥＥ８０２．１５．１、ＮＦＣ）を介して受信する。ＮＦＣとしてＲＦＩＤ等の電磁誘導により同期信号ＳＤを受信できる構成とすれば、ノード１１０の近距離無線Ｗ２用の通信制御部１１２ｂは、受信電力を消費しない。
【００８３】
このように、実施例では、一般的な無線通信で必要となる定期的な同期信号にかかる待機電力、および受信電力を、低消費電力にできる第２の近距離無線Ｗ２を用いて同期処理することで、時刻同期のための消費電力を低減させることができる。特に、ＮＦＣを使用した場合、電磁誘導方式により動作電源を外部から給電可能となるため、受信の電力を０とすることができる。
【００８４】
以下、ノード１１０の消費電力低減の具体的数値を説明する。ノード１１０が人体の血糖値をセンサ１１１により検出し、検出値ＳＳとして送信するセンサノードを例に説明する。
【００８５】
実施例のノード１１０は、以下の条件を有する。
１．２時間毎に５０ｂｙｔｅのデータ（検出値ＳＳ）を送信
２．データ（検出値ＳＳ）の送受信（第１の近距離無線Ｗ１）に使用する無線規格は、ＩＥＥＥ８０２．１５．６（ＢＡＮ）
３．同期信号ＳＤの送受信（第２の近距離無線Ｗ２）に使用する無線規格は、ＩＥＥＥ８０２．１５．１に規定されるＲＦＩＤ等のＮＦＣ
４．同期信号ＳＤは、ハブ１２０からノード１１０に６０秒毎に送信
５．第１の近距離無線Ｗ１（ＩＥＥＥ８０２．１５．６）の待機電流１μＡ、送受信電力１８ｍＡ、待ち受け電力１８ｍＡ
６．第２の近距離無線Ｗ２（ＮＦＣ）の受信電力＝０
７．送受信するデータフォーマットは、図１０参照
８．電池は、ＣＲ２０３２（電池容量：２２０ｍＡＨ＝７９２０００ｍＡｓｅｃｏｎｄ）
【００８６】
従来技術のノードは、データ送信および同期信号の受信時に以下のようにそれぞれ電力消費する。
・データ送信の２時間あたりの消費電力は、（９０＋３１＋５６＋４００＋１６）ｂｉｔ／１８７５００×１８ｍＡ＝０．０６ｍＡｓｅｃｏｎｄ
・同期信号の２時間あたりの消費電力は、（９０＋３１＋５６＋２４＋１６）ｂｉｔ／１８７５００×１８ｍＡ×１２０＝２．４ｍＡｓｅｃｏｎｄ
・２時間あたりの待ち受け電力
７２００×１μＡ＝７．２ｍＡｓｅｃｏｎｄ
したがって、データ送信と同期信号受信とを合計した２時間あたりの消費電力は、０．０６＋２．４＋７．２＝９．６６ｍＡｓｅｃｏｎｄとなる。
【００８７】
一方、実施例のノード１１０は、上記の消費電力のうち、同期信号ＳＤの電力がほぼ０となるので、２時間あたりの消費電力は、０．０６＋７．２＝７．２６ｍＡｓｅｃｏｎｄとなる。したがって、実施例のノード１１０は、従来技術に比して２５％の消費電力を削減できる。
【００８８】
以上説明した実施の形態によれば、装置間の無線通信について、データを送信する通信方式と、時刻同期のための同期信号を送信する通信方式を分けている。異なる通信方式における異なる時刻の表し方については、各通信方式に適合した時刻の情報に変換することで対応している。時刻同期の処理では、装置時間を同期信号を送信する通信方式の時刻の情報に変換して送信し、受信した装置は、時刻の情報を逆変換して装置時間との差分により時刻ズレを検出し装置時間を補正する。この時刻補正以降のデータ送信時には、装置間で時刻を同期させることができる。また、異なる通信方式がそれぞれ用いる時刻を相互に同期させることができるようになる。
【００８９】
そして、ハブが同期信号を定期的にノードに送信し、ノードが時刻補正してハブにセンサの検出値をデータ送信するシステムに適用すれば、ノードの時刻をハブの時刻に同期させることができ、ハブは、ノードが送信する検出値の送信時刻を正確に管理できる。また、ノードを複数設けてハブが複数のノードの検出値を集約するシステムに適用すれば、ハブは、複数のノードの検出値の送信時刻を正確に管理できるようになる。
【００９０】
また、同期信号を送受信する通信方式としてＮＦＣを用いることにより、同期信号を受信する装置の受信にかかる消費電力を低減できるようになる。時刻ズレを頻繁に修正するために同期信号を定期的に送信する構成としても、装置動作用の電力消費を抑えることができ、装置がバッテリを電源として動作する場合には、バッテリを長寿命化（動作継続時間の長期化）できるようになる。
【００９１】
さらには、ＮＦＣとしてＲＦＩＤを用いれば、同期信号の受信電力の消費をなくすことができ、さらなるバッテリの長寿命化を図れるようになる。例えば、ノードが小型化のためにバッテリ駆動され、クロック精度が低い場合であってもハブの時刻と時刻同期でき、かつ省電力化できる。
【００９２】
また、上記の実施の形態では、ハブとノード間の時刻同期を例に説明したが、これに限らず、ノード間の時刻同期など、異なる各種装置間の時刻同期を同様に行うことができる。
【００９３】
上述した実施の形態に関し、さらに以下の付記を開示する。
【００９４】
（付記１）第１の無線通信装置と第２の無線通信装置の時刻を同期させる時刻同期方法において、
前記第１の無線通信装置と前記第２の無線通信装置は、
データ送受信用の第１の通信方式と、前記第１の通信方式とは異なる通信方式で、時刻同期の同期信号送受信用の第２の通信方式と、を有し、
前記第１の無線通信装置は、
前記同期信号を送信する際、自装置内の基準時間を前記第２の通信方式が用いる時刻の情報に変換して前記第２の通信方式により前記第２の無線通信装置に送信し、
前記第２の無線通信装置は、
受信した前記同期信号を自装置内の基準時間の時刻の情報に逆変換して、自装置の基準時間を補正し、
前記第１の無線通信装置に対するデータ送信時には、前記基準時間から得た時刻を前記第１の通信方式が用いる時刻の情報に変換した時刻に基づいてデータ送信する、
ことを特徴とする時刻同期方法。
【００９５】
（付記２）前記第２の通信方式は、前記第２の無線通信装置による前記同期信号の受信時に電力を消費しないＮＦＣ（Ｎｅａｒ  Ｆｉｅｌｄ  Ｃｏｍｍｕｎｉｃａｔｉｏｎ）の通信方式であることを特徴とする付記１に記載の時刻同期方法。
【００９６】
（付記３）前記第１の無線通信装置は、定期的に前記同期信号を前記第２の通信方式を介して前記第２の無線通信装置に送信することを特徴とする付記１または２に記載の時刻同期方法。
【００９７】
（付記４）前記第１の無線通信装置は、前記第２の通信方式により送信する前記同期信号に含まれる時刻の情報として、データ送信に用いるカウンタ値と、前記基準時間に対する前記カウンタ値のオフセットと、データ送信時の送信タイミングと、
を含むことを特徴とする付記１〜３のいずれか一つに記載の時刻同期方法。
【００９８】
（付記５）前記第２の無線通信装置は、前記第２の通信方式を介して受信した前記同期信号に含まれるカウンタ値と、前記基準時間に対する前記カウンタ値のオフセットと、データ送信時の送信タイミングとに基づき、
受信した前記同期信号のデータ先頭の受信時刻と、自装置内の基準時間とのズレ時間を算出し、前記ズレ時間に基づいて前記基準時間を補正する、
ことを特徴とする付記１〜４のいずれか一つに記載の時刻同期方法。
【００９９】
（付記６）前記第２の無線通信装置は、前記第１の通信方式により、前記第１の無線通信装置に対してデータを送信する際には、前記第１の通信方式で通信可能な時刻に基づき、前記データを送信予約することを特徴とする付記１〜５のいずれか一つに記載の時刻同期方法。
【０１００】
（付記７）他の無線通信装置の時刻に時刻同期させる無線通信装置において、
前記他の無線通信装置との間の通信を行う、データ送受信用の第１の通信方式の第１の通信制御部と、前記第１の通信方式とは異なる通信方式で、時刻同期の同期信号送受信用の第２の通信方式の第２の通信制御部と、
前記他の無線通信装置によって前記他の無線通信装置内の基準時間を前記第２の通信方式が用いる時刻の情報に変換し、前記第２の通信方式により送信された前記同期信号の受信に基づき、前記同期信号を自装置内の基準時間の時刻の情報に逆変換して、自装置の基準時間を補正する時間管理部を有し、
前記第１の通信制御部は、前記他の無線通信装置に対するデータ送信時に、前記基準時間から得た時刻を前記第１の通信方式が用いる時刻の情報に変換した時刻に基づいてデータ送信する、
ことを特徴とする無線通信装置。
【０１０１】
（付記８）第１の無線通信装置と第２の無線通信装置の時刻を同期させる無線通信システムにおいて、
前記第１の無線通信装置と前記第２の無線通信装置は、
データ送受信用の第１の通信方式の通信制御部と、前記第１の通信方式とは異なる通信方式で、時刻同期の同期信号送受信用の第２の通信方式の通信制御部と、を有し、
前記第１の無線通信装置は、
前記同期信号を送信する際、自装置内の基準時間を前記第２の通信方式が用いる時刻の情報に変換する時間管理部を有し、
前記第２の通信方式の通信制御部により、前記時間管理部が変換した時刻の情報を前記第２の通信方式により前記第２の無線通信装置に送信し、
前記第２の無線通信装置は、
前記第２の通信方式の通信制御部が受信した前記同期信号を自装置内の基準時間の時刻の情報に逆変換して、自装置の基準時間を補正する時間管理部を有し、
前記第１の無線通信装置に対するデータ送信時には、前記第１の通信方式の通信制御部により、前記基準時間から得た時刻を前記第１の通信方式が用いる時刻の情報に変換した時刻に基づいてデータ送信する、
ことを特徴とする無線通信システム。
【０１０２】
（付記９）前記第２の無線通信装置は、複数設けられ、
前記第１の無線通信装置は、複数の前記第２の無線通信装置に対して前記同期信号を送信するとともに、前記第２の無線通信装置が送信するデータを集約する、
ことを特徴とする付記８に記載の無線通信システム。
【０１０３】
（付記１０）前記第２の通信方式は、前記第２の無線通信装置が前記第１の無線通信装置からの前記同期信号の受信時に電力を消費しないＮＦＣ（Ｎｅａｒ  Ｆｉｅｌｄ  Ｃｏｍｍｕｎｉｃａｔｉｏｎ）の通信方式であることを特徴とする付記８または９に記載の無線通信システム。
【０１０４】
（付記１１）前記第１の通信方式は、前記第１の無線通信装置と前記第２の無線通信装置との間の近距離無線通信を行う通信方式であることを特徴とする付記８〜１０のいずれか一つに記載の無線通信システム。
【０１０５】
（付記１２）前記第１の通信方式は、ＢＡＮ（Ｂｏｄｙ  Ａｒｅａ  Ｎｅｔｗｏｒｋ）の通信方式であることを特徴とする付記１１に記載の無線通信システム。
【符号の説明】
【０１０６】
１００  ネットワーク
１０１  人体
１１０  ノード
１１１  センサ
１１２，１２２  ＭＰＵ
１１２ａ，１２２ａ  通信制御部（近距離無線Ｗ１用）
１１２ｂ，１２２ｂ  通信制御部（近距離無線Ｗ２用）
１２０  ハブ
１３０  データ送信装置
１４０  通信網
１５０  端末装置
４０１，５０１  時間管理部
４０２，５０２  時刻同期管理部
【図１】
2015133596.tif 000003
【図２】
2015133596.tif 000004
【図３】
2015133596.tif 000005
【図４】
2015133596.tif 000006
【図５】
2015133596.tif 000007
【図６】
2015133596.tif 000008
【図７】
2015133596.tif 000009
【図８】
2015133596.tif 000010
【図９】
2015133596.tif 000011
【図１０】
2015133596.tif 000012
【図１１】
2015133596.tif 000013
【図１２】
2015133596.tif 000014
【図１３】
2015133596.tif 000015
【図１４】
2015133596.tif 000016
【図１５】
2015133596.tif 000017